(57)【特許請求の範囲】
【請求項１】
排水口に着脱可能に取り付けられるヘアキャッチャーであって、
該ヘアキャッチャーは平面視が円形状をなし、
円周部付近を頂点として下傾し該円周部中央下方付近で交わる複数の平面状の斜面と、前記円周部から逆円錐台状に下傾し前記複数の平面状の斜面の外縁と交わる逆円錐台曲面からなる斜面とからなり、
それぞれの斜面に多数の排水用孔が形成されていることを特徴とするヘアキャッチャー。
【請求項２】
前記排水用孔は、上面側から下面側へ向かって拡径した断面略ハ字状に開口されていることを特徴とする請求項１に記載のヘアキャッチャー。
【請求項３】
前記複数の平面状の斜面が２つで構成されていることを特徴とする請求項１または請求項２に記載のヘアキャッチャー。
【請求項４】
前記２つの平面状の斜面の交線を前記逆円錐台曲面に沿って延長させた位置に、溝部を形成させたことを特徴とする請求項３に記載のヘアキャッチャー。
【請求項５】
前記平面状斜面の交線部および／または前記溝部に、着脱可能なゴミ取り具を設けたことを特徴とする請求項４に記載のヘアキャッチャー。
【請求項６】
前記逆円錐台曲面の前記交線部端部の近傍部分には、前記排水用孔が存在しないことを特徴とする請求項１〜請求項５の何れかに記載のヘアキャッチャー。
【請求項７】
前記斜面の円周部中央下方付近の前記排水用孔の開口面積が、上方の排水用孔の開口面積よりも小さいことを特徴とする請求項１〜請求項６の何れかに記載のヘアキャッチャー。
【発明の詳細な説明】
【技術分野】
【０００１】
本発明は、排水口に着脱可能に取り付けられるヘアキャッチャーに関するものである。
【背景技術】
【０００２】
従来、排水口に着脱可能に取り付けられるヘアキャッチャーとして、例えば特許文献１に開示されているように、長い傾斜面と短い傾斜面とで略逆ヘの字状の断面形状に形成されたものがある。
【特許文献１】特開２００２−１３１７６号公報
【発明の開示】
【発明が解決しようとする課題】
【０００３】
特許文献１のような形状のヘアキャッチャーでは、曲面が存在しないために、髪の毛等のゴミを良好に中央部に集め難いという問題点があった。
【課題を解決するための手段】
【０００４】
本発明は上記従来の問題点に鑑み案出したものであって、髪の毛等のゴミを良好に中央部に集めることのできるヘアキャッチャーを提供するものであり、その請求項１は、排水口に着脱可能に取り付けられるヘアキャッチャーであって、該ヘアキャッチャーは平面視が円形状をなし、円周部付近を頂点として下傾し該円周部中央下方付近で交わる複数の平面状の斜面と、前記円周部から逆円錐台状に下傾し前記複数の平面状の斜面の外縁と交わる逆円錐台曲面からなる斜面とからなり、それぞれの斜面に多数の排水用孔が形成されていることである。
【０００５】
また請求項２は、前記排水用孔は、上面側から下面側へ向かって拡径した断面略ハ字状に開口されていることである。
【０００６】
また請求項３は、前記複数の平面状の斜面が２つで構成されていることである。
【０００７】
また請求項４は、前記２つの平面状の斜面の交線を前記逆円錐台曲面に沿って延長させた位置に、溝部を形成させたことである。
【０００８】
また請求項５は、前記平面状斜面の交線部および／または前記溝部に、着脱可能なゴミ取り具を設けたことである。
【０００９】
また請求項６は、前記逆円錐台曲面の前記交線部端部の近傍部分には、前記排水用孔が存在しないことである。
【００１０】
また請求項７は、前記斜面の円周部中央下方付近の前記排水用孔の開口面積が、上方の排水用孔の開口面積よりも小さいことである。
【発明の効果】
【００１１】
本発明は、排水口に着脱可能に取り付けられるヘアキャッチャーであって、該ヘアキャッチャーは平面視が円形状をなし、円周部付近を頂点として下傾し該円周部中央下方付近で交わる複数の平面状の斜面と、前記円周部から逆円錐台状に下傾し前記複数の平面状の斜面の外縁と交わる逆円錐台曲面からなる斜面とからなり、それぞれの斜面に多数の排水用孔が形成されていることにより、接線方向から流れてきた排水を逆円錐台曲面からなる斜面で旋回させて加速させ、複数の平面状の斜面に沿って下側へ流すことで、髪の毛等のゴミを凹部の中央付近に良好に集めることができるものとなる。
【００１２】
また、前記排水用孔は、上面側から下面側へ向かって拡径した断面略ハ字状に開口されていることにより、排水用孔の下部側が広がっているため、ゴミが排水用孔に堆積し難く、そのため汚れ難く、掃除し易いヘアキャッチャーとなる。
【００１３】
また、前記複数の平面状の斜面が２つで構成されていることにより、平面状の斜面の数が２つであるため、凹部の容積を最大にすることができて、排水能力が向上するものとなる。
【００１４】
また、前記２つの平面状の斜面の交線を前記逆円錐台曲面に沿って延長させた位置に、溝部を形成させたことにより、楊枝等の尖ったものの先端を溝部に沿って上方から下方側へ移動させてゆき、中央部に集められた髪の毛等のゴミを爪楊枝等で良好に取り去ることができ、爪楊枝等を用いてヘアキャッチャーに手を触れることなく、良好にヘアキャッチャーのゴミを取ることができるものとなる。
【００１５】
また、前記平面状斜面の交線部および／または前記溝部に、着脱可能なゴミ取り具を設けたことにより、楊枝等を用意しなくても、ヘアキャッチャーに触れることなく、ゴミ取り具でゴミを良好に取ることができ、衛生的に処理できるものとなる。
【００１６】
また、前記逆円錐台曲面の前記交線部端部の近傍部分には、前記排水用孔が存在しないことにより、逆円錐台曲面の下部部位から排水が流れ出ることがないため、髪の毛等が外側へ流れてゆくことがなく、良好に髪の毛等を中央部に集めて捕集することができるものとなる。
【００１７】
また、前記斜面の円周部中央下方付近の前記排水用孔の開口面積が、上方の排水用孔の開口面積よりも小さいことにより、排水がヘアキャッチャーの中央部では流れ難くなり、髪の毛等が流れ出てゆくことを防ぐことができ、髪の毛等のゴミを中央部で一旦浮かせるようにして、良好に中央部に集めることができるものとなる。
【実施例】
【００１８】
以下、本発明の実施例を図面に基づいて説明する。
図１は、浴室の概略斜視構成図であり、浴室１内の浴槽２の近傍の洗い場３には排水枡部４が凹み状に形成されており、この排水枡部４の排水口４ａには、図２に拡大して示すように、着脱可能にヘアキャッチャー５が取り付けられている。
このヘアキャッチャー５は、図３に斜視図で、図４に平面図で、また図５に図４のＡ方向矢視図で、また図６にＢ方向矢視図で示すような構造となっている。
【００１９】
即ち、ヘアキャッチャー５は、平面視が円形状をなし、円形リング状の円周部６の内側に、下方側へ凹ませて凹部５ａが形成されており、この凹部５ａは、第１傾斜平面７と、第２傾斜平面８と、逆円錐台曲面１０，１０で構成されている。
第１傾斜平面７と第２傾斜平面８は、対向状にそれぞれ円周部６付近を頂点として中央側へ下傾し、円周部６の中央部の下方の斜面交線部９で交わっている。
また、逆円錐台曲面１０，１０は、円周部６から逆円錐台状に下傾し、第１傾斜平面７および第２傾斜平面８の外縁７ａ，８ａと交わっている。
【００２０】
なお、第１傾斜平面７および第２傾斜平面８には、それぞれ四角形状の排水用孔が多数貫通形成されているが、円周部６に近い上半分は開口面積が大な大径排水用孔１１，１１，１１となっており、斜面交線部９に近い下半分は開口面積が小の小径排水用孔１２，１２，１２となっている。
また、逆円錐台曲面１０にも多数の円形状の排水用孔１３，１３，１３が貫通形成されている。なお、この逆円錐台曲面１０の下部の斜面交線部９の延長線上の部分は排水用孔１３の存在しない孔無し部１０ａとなっている。
なお、排水用孔１１，１２，１３の貫通する角度は図示の角度に限らない。
【００２１】
なお、大径排水用孔１１および小径排水用孔１２は、図７の断面拡大図で示すように、上面側から下面側へ向かって拡径した拡径斜面１１ａを有する断面略ハ字状に開口されたものである。
なお、このヘアキャッチャー５には、指で摘むことのできる取手１４が一体形成されており、取手１４を指で摘んで取り外すことができるものである。
【００２２】
このような構成のヘアキャッチャー５では、第１傾斜平面７と第２傾斜平面８の２枚の平面が中央部で交わる形状であるため、円周部６から斜面交線部９に至る深さを最も深くすることができ、第１傾斜平面７および第２傾斜平面８の傾斜角度を急角度にして、排水の流れを良好化することができる。
なお、円周部６の接線方向から流れてくる排水を逆円錐台曲面１０に沿わせて旋回させ、排水を加速させて、第１傾斜平面７および第２傾斜平面８の上方側より下方に向かって排水を斜面交線部９に良好に集めることができ、この排水の流れにより斜面交線部９上に髪の毛等のゴミを良好に集めることができるものとなる。しかも、この部分の逆円錐台曲面１０には孔無し部１０ａが形成されており、斜面交線部９付近の排水用孔は小径排水用孔１２であるため、この傾斜接線部９の上方付近では排水性能があえて低く設定されているため、この斜面交線部９の上方付近で髪の毛，ゴミが排水で一旦浮き上がり、良好に髪の毛，ゴミをこの斜面交線部９上に集めることができるものとなる。
【００２３】
また、髪の毛等のゴミは、孔無し部１０ａにより外側へ流れ出ることがない。そのため、髪の毛等のゴミは、良好に斜面交線部９上に集められるため、取手１４を手で持ってヘアキャッチャー５を引き上げて裏返しにすることで、中央部に集められた髪の毛等のゴミを一振りで良好にヘアキャッチャー５から取り除くことができるものとなる。
なお、各排水用孔１１，１２は断面ハ字状に開口されているため、排水用孔１１，１２にゴミが堆積し難く汚れ難いものとなり、また掃除もし易いものとなる。
【００２４】
なお、図８は変更例を示すものであり、図８の斜視図で示すヘアキャッチャー５は、円周部６付近を頂点として下傾し円周部６の中央下部の交差底点９ａで交わる４枚の第１傾斜平面７，第２傾斜平面８，第３傾斜平面１５，第４傾斜平面１６と、円周部６から逆円錐台状に下傾し４枚の傾斜平面７，８，１５，１６の外縁と交わる逆円錐台曲面１０からなる凹部５ａを備えたものであり、各傾斜平面７，８，１５，１６および逆円錐台曲面１０には、それぞれ図示しないが図３と同様な排水用孔１１，１２，１３が多数形成されたものである。
【００２５】
更に、図９に示す変更例のヘアキャッチャー５は、３枚の第１傾斜平面７，第２傾斜平面８，第３傾斜平面１５を有し、３枚の傾斜平面７，８，１５が円周部６の中央下部の交差底点９ａで交わり、円周部６を頂点として下傾された逆円錐台曲面１０が３枚の傾斜平面７，８，１５の外縁と交わるように形成したものである。
このような図８および図９に示すようなヘアキャッチャー５においても、排水は逆円錐台曲面１０に沿って旋回されて各傾斜平面７，８，１５，１６の上端側から下方側へ向かって流下し、交差底点９ａの上方に良好に髪の毛等のゴミを集めることができるものである。
【００２６】
更に、図１０の変更例で示すヘアキャッチャー５は、円周部６付近を頂点として対向状に下傾する外側の第１傾斜平面７，第２傾斜平面８に連続して、中央部に第３傾斜平面１５と第４傾斜平面１６が対向状に下傾して設けられ、第３傾斜平面１５と第４傾斜平面１６との交わる斜面交線部９が中央底部に形成されたものであり、各傾斜平面７，８，１５，１６の外縁と交わる逆円錐台曲面１０が円周部６から下傾状に形成されたものであり、この逆円錐台曲面１０に沿って排水を旋回させて、排水とともに髪の毛等のゴミを中央部の斜面交線部９上に良好に集めることができるものである。
【００２７】
次に、図１１の斜視図で示すヘアキャッチャー５は、取手１４の位置が変更され、その他の構成部分は図３のものと同一であるため重複説明は省略するが、この図１１のヘアキャッチャー５には、斜面交線部９が溝状に形成され、この斜面交線部９の延長線上の逆円錐台曲面１０に、上下方向のゴミ取りガイド用の溝部１７が溝状に形成され、この溝部１７は、取手１４まで延長して凹み状に形成されている。
このような溝部１７を一体形成させておけば、この溝部１７に楊枝等の先の尖ったものを差し込んで、楊枝等を溝部１７に沿って上方側から下方側へ移動させることで、斜面交線部９上に溜まった髪の毛等を良好に楊枝等で取ることができるものとなる。
【００２８】
なお、図１１に示すように、この溝部１７および斜面交線部９に、別体のゴミ取り具１８を嵌め込んで取り付けておくこともでき、このゴミ取り具１８は、図１２の取り付け状態の断面構成図で示すように、指で摘むことのできる握り部１８ａを取手１４の外側に配置させておくことができ、握り部１８ａから略水平に延出片１８ｂが形成され、その先端で垂下する垂下片１８ｃが形成され、更に垂下片１８ｃから傾斜状に傾斜片１８ｄが形成されて、更に傾斜片１８ｄの下端から略水平に延びる水平片１８ｅが形成されたものであり、水平片１８ｅを斜面交線部９に嵌め込み、傾斜片１８ｄを溝部１７に嵌め込んで良好に取り付けておくことができる。
なお、握り部１８ａを手で持ってゴミ取り具１８を上方へ持ち上げることで、斜面交線部９上に集められた髪の毛等のゴミを良好に水平片１８ｅ，傾斜片１８ｄによりヘアキャッチャー５から取り上げることができ、ヘアキャッチャー５に手を触れることなく衛生的に髪の毛等のゴミを取り去ることができるものとなる。
【００２９】
なお、図１３に分解斜視図で示すものは、ゴミ取り具１８を変更したものであり、図１３のゴミ取り具１８は、水平片１８ｅの存在しない傾斜片１８ｄのみが備えられたものであり、この傾斜片１８ｄが嵌まり込む溝部１７が、斜面交線部９には形成されず、斜面交線部９の延長線上の逆円錐台曲面１０に凹み状に形成されている。
【００３０】
図１４に示すように、ゴミ取り具１８の傾斜片１８ｄを溝部１７に嵌め込んで取り付けておくことができ、斜面交線部９上に髪の毛等のゴミが集められた状態で、このゴミ取り具１８を手で持って取り外し、良好にゴミ取り具の傾斜片１８ｄで髪の毛等をすくい上げて取り除くことができるものであり、ヘアキャッチャー５に手を触れることなく、衛生的に髪の毛等のゴミを取り去ることができるものとなる。
【図面の簡単な説明】
【００３１】
【図１】浴室の概略斜視図である。
【図２】排水枡部に取り付けられたヘアキャッチャーの拡大構成図である。
【図３】ヘアキャッチャーの斜視構成図である。
【図４】図３のヘアキャッチャーの平面構成図である。
【図５】図４のＡ方向矢視図である。
【図６】図４のＢ方向矢視図である。
【図７】ヘアキャッチャーの排水用孔の断面拡大構成図である。
【図８】ヘアキャッチャーの変更例を示し、４面の傾斜平面で構成されるヘアキャッチャーの斜視図である。
【図９】更に異なるヘアキャッチャーを示し、３面の傾斜平面で構成されるヘアキャッチャーの斜視図である。
【図１０】更に異なるヘアキャッチャーを示し、４面の傾斜平面で構成されるヘアキャッチャーの斜視図である。
【図１１】ヘアキャッチャーにゴミ取り具を取り付ける前の分解斜視図である。
【図１２】ゴミ取り具を取り付けた状態の縦断面構成図である。
【図１３】ゴミ取り具の変更例を示し、ゴミ取り具を取り付ける前のヘアキャッチャーの分解斜視図である。
【図１４】ゴミ取り具を取り付けた状態のヘアキャッチャーの縦断面構成図である。
【符号の説明】
【００３２】
１  浴室
３  洗い場
４  排水枡部
４ａ  排水口
５  ヘアキャッチャー
５ａ  凹部
６  円周部
７  第１傾斜平面
８  第２傾斜平面
７ａ，８ａ  外縁
９  斜面交線部
９ａ  交差底点
１０  逆円錐台曲面
１０ａ  孔無し部
１１  大径排水用孔
１１ａ  拡径斜面
１２  小径排水用孔
１３  排水用孔
１４  取手
１５  第３傾斜平面
１６  第４傾斜平面
１７  溝部
１８  ゴミ取り具
１８ａ  握り部
１８ｄ  傾斜片
１８ｅ  水平片
【図１】
0004698424.tif 000002
【図２】
0004698424.tif 000003
【図３】
0004698424.tif 000004
【図４】
0004698424.tif 000005
【図５】
0004698424.tif 000006
【図６】
0004698424.tif 000007
【図７】
0004698424.tif 000008
【図８】
0004698424.tif 000009
【図９】
0004698424.tif 000010
【図１０】
0004698424.tif 000011
【図１１】
0004698424.tif 000012
【図１２】
0004698424.tif 000013
【図１３】
0004698424.tif 000014
【図１４】
0004698424.tif 000015